(57)【要約】【課題】中継器に起因するキャリア周波数偏差による通信品質の低下を回避することができる無線通信装置を提供することを目的とする。【解決手段】ミキサ１に供給する再生キャリアを出力する再生キャリア生成回路１０およびベースバンドクロックを出力する分周器６は基準発振器９を共用する構成とする。加算器４０において、自動周波数制御回路７により得られるキャリア周波数同期情報とタイミングクロック再生回路４により得られるタイミングクロック周波数同期情報の差を算出して中継器に起因するキャリア周波数偏差Δを得る。マルチプレクサ８３において、加算器４０が出力するキャリア周波数偏差情報を変調入力に含める。【選択図】図６
2008035321.tif 000002
【特許請求の範囲】
【請求項１】
周波数変換を伴う中継器を介して無線通信を行う無線通信装置であって、
前記中継器からの無線信号に含まれる前記中継器に起因するキャリア周波数偏差を算出するキャリア周波数偏差算出手段を備えることを特徴とする無線通信装置。
【請求項２】
基準周波数発生部と、
該基準周波数発生部を共用するキャリア周波数発生部およびタイミング発生部を備えることを特徴とする請求項１記載の無線通信装置。
【請求項３】
キャリア周波数同期手段と、
タイミングクロック周波数同期手段を有し、
前記キャリア周波数偏差算出手段は、前記キャリア周波数同期手段により得られるキャリア周波数同期情報と前記タイミングクロック周波数同期手段により得られるタイミングクロック周波数同期情報に基づいて、前記中継器に起因するキャリア周波数偏差を算出することを特徴とする請求項１又は２記載の無線通信装置。
【請求項４】
周波数変換を行う中継器を介して無線通信を行う無線通信装置であって、
相手方無線通信装置から通知される前記中継器に起因するキャリア周波数偏差情報を元に前記中継器に起因するキャリア周波数偏差を除去するキャリア周波数偏差除去手段を備えることを特徴とする無線通信装置。
【請求項５】
前記キャリア周波数偏差除去手段は、複数の前記相手方無線通信装置から通知される前記キャリア周波数偏差情報を平均化して前記キャリア周波数偏差を除去することを特徴とする請求項４記載の無線通信装置。
【発明の詳細な説明】
【技術分野】
【０００１】
本発明は、周波数変換を伴う中継器と、自身の送信信号の折り返しをモニタのために受信できない基準発信局（以下、基地局という）と、受信局（以下、端末という）とを含む無線通信システムにおいて、基地局に適用して好適な無線通信装置、および、端末に適用して好適な無線通信装置に関する。
【背景技術】
【０００２】
図８は従来の無線通信装置の一例の一部分の構成図である。この無線通信装置は、例えば、ＢＰＳＫ（２相位相偏移変調）波を対象とするものであり、図８中、１は受信信号を周波数変換してなるＩＦ信号（中間周波数信号）と後述する再生キャリア生成回路が出力する再生キャリアとを混合し、ＩＦ信号からキャリア成分を除去してベースバンド信号を出力するミキサである。
【０００３】
２はミキサ１が出力するベースバンド信号をベースバンドクロックに同期してアナログ信号からデジタル信号に変換するＡ／Ｄ変換器（アナログ／デジタル変換器）、３はＡ／Ｄ変換器２が出力するデジタル信号からなるベースバンド信号を入力して復調を行う復調器である。
【０００４】
４はタイミングクロック周波数同期手段を構成するタイミングクロック再生回路（ＢＴＲ）であり、例えば、連続するシンボル間のアイパタンの節がサンプルタイミングから前後する量を検出することによりクロックタイミング弁別を行う構成とされる。
【０００５】
５はベースバンドクロックを生成する基準となる発振器、６は発振器５が出力する発振信号を分周してベースバンドクロックを出力する分周器であり、タイミングクロック再生回路４により分周比が制御されるものである。分周器６の代わりに、ＰＬＬを使用する構成とすることもできる。
【０００６】
７は復調器３内の所定の信号からキャリア周波数とミキサ１に供給する再生キャリア周波数との偏差を検出し、再生キャリア周波数がキャリア周波数に一致するように再生キャリア周波数を制御する再生キャリア周波数制御信号を出力する自動周波数制御回路（ＡＦＣ）であり、キャリア周波数同期手段を構成するものである。この自動周波数制御回路７は、例えば、時間差のあるシンボル間の位相回転量によりキャリア周波数弁別を行う構成とされる。
【０００７】
８は自動周波数制御回路７が出力する再生キャリア周波数制御信号をデジタル信号からアナログ信号に変換するＤ／Ａ変換器（デジタル／アナログ変換器）、９はＤ／Ａ変換器８が出力する再生キャリア周波数制御信号により発振周波数が制御される温度補償付き水晶発振器（ＶＣ＿ＴＣＸＯ）からなる基準発振器である。
【０００８】
１０はミキサ１に与える再生キャリアを生成する再生キャリア生成回路であり、１１はＰＬＬ（位相同期ループ）、１２は電圧制御発振器（ＶＣＯ）である。ＰＬＬ１１は、基準発振器９が出力する発振信号を基準信号、電圧制御発振器１２が出力する発振信号を比較信号として動作し、電圧制御発振器１２の発振信号を分周したものを再生キャリアとしてミキサ１に供給するように構成されている。
【０００９】
１３はデジタル信号からなる変調入力を受けて変調を行う変調器、１４は変調器１３が出力する変調信号をデジタル信号からアナログ信号に変換するＤ／Ａ変換器、１５はＤ／Ａ変換器１４が出力するアナログ信号からなる変調信号にキャリアを掛け合わせて送信側のＩＦ信号を出力するミキサである。
【００１０】
１６はミキサ１５に与えるキャリアを生成するキャリア生成回路であり、１７はＰＬＬ（位相同期ループ）、１８は電圧制御発振器（ＶＣＯ）である。ＰＬＬ１７は、基準発振器９が出力する発振信号を基準信号、電圧制御発振器１８が出力する発振信号を比較信号として動作し、電圧制御発振器１８の発振信号を分周したものをキャリアとしてミキサ１５に供給するように構成されている。
【特許文献１】特開平９−１８５３２号公報
【特許文献２】特開平７−１９３５２５号公報
【発明の開示】
【発明が解決しようとする課題】
【００１１】
図９は図８に示す従来の無線通信装置が有する問題点を説明するための図であり、無線通信システムの構成例を概略的に示している。図９中、２５は基地局、２６は図８に示す従来の無線通信装置と同一回路構成の端末、２７は中継器であり、２８、２９はアンテナ、３０、３１は送受分波器、３２、３３はミキサ、３４は局部発振器である。
【００１２】
この無線通信システムでは、基地局２５と端末２６との間の通信は中継器２７を介して行われ、基地局２５からの送信信号は、中継器２７のアンテナ２８、送受分波器３０、ミキサ３２、送受分波器３１およびアンテナ２９を介して端末２６に伝送され、端末２６からの送信信号は、中継器２７のアンテナ２９、送受分波器３１、ミキサ３３、送受分波器３０およびアンテナ２８を介して基地局２５に伝送される。
【００１３】
本例では、基地局２５は、自身の送信信号の折り返しをモニタのために受信できないものとされており、また、図８に示す従来の無線通信装置と同様に、キャリア周波数偏差を補正するためにキャリア周波数同期手段を構成する自動周波数制御回路（ＡＦＣ）を備えると共に、タイミングクロック周波数偏差を補正するためにタイミングクロック周波数同期手段を構成するタイミングクロック再生回路（ＢＴＲ）を備えている。
【００１４】
また、中継器２７は、周波数変換を伴うスルーリピータとして機能するものであり、再生中継を行うものではないとされている。このような中継器２７は、衛星通信システムにおけるベントパイプ方式による衛星自身や、システムの不感エリアを効率的になくすための中継局などに用いられる。
【００１５】
ここで、基地局２５から中継器２７への送信信号の周波数をｆ＿ＢＴＳ、中継器２７から端末２６への送信信号の周波数偏差を含まない場合の周波数をｆ＿ＢＴＳ´、端末２６から中継器２７への送信信号の周波数偏差を含まない場合の周波数をｆ＿ＭＳ、中継器２７から基地局２５への送信信号の周波数偏差を含まない場合の周波数をｆ＿ＭＳ´とする。
【００１６】
この場合に、中継器２７の局部発振器３４に「＋Δ」の周波数偏差が存在すると、中継器２７から端末２６への送信信号の周波数は「ｆ＿ＢＴＳ´＋Δ」となり、端末２６の自動周波数制御回路７は、キャリア生成回路１６が出力するキャリアの周波数をこの偏差「＋Δ」を含んだ周波数に引き込むように動作するため、端末２６から中継器２７への送信信号の周波数は「ｆ＿ＭＳ＋Δ」となり、中継器２７から基地局２５への送信信号の周波数は「ｆ＿ＭＳ´＋２Δ」となる。
【００１７】
この無線通信システムのように、自身の送信信号の折り返しをモニタのために受信できない基地局２５と、図８に示す従来の無線通信装置と同一回路構成の端末２６と、周波数変換を伴う中継器２７を含む無線通信システムにおいては、基地局２５は、中継器２７の局部発振器３４の周波数偏差「＋Δ」の２倍の周波数偏差「＋２Δ」を含んだ受信信号を受信することになる。
【００１８】
ここで、例えば、上下非対称な通信において、上り（端末２６→基地局２５）の伝送速度が遅いなどの場合には、最悪の場合、基地局２５では、受信信号に含まれる中継器２７に起因する周波数偏差「＋２Δ」を除去できなくなり、通信品質の低下を招く場合があるという問題点があった。
【００１９】
本発明は、かかる点に鑑み、中継器に起因するキャリア周波数偏差による通信品質の低下を回避することができる無線通信装置を提供することを目的とする。
【課題を解決するための手段】
【００２０】
本発明中、第１発明は、周波数変換を伴う中継器を介して無線通信を行う無線通信装置であって、前記中継器からの無線信号に含まれる前記中継器に起因するキャリア周波数偏差を算出するキャリア周波数偏差算出手段を備えるものである。
【００２１】
本発明中、第２発明は、周波数変換を行う中継器を介して無線通信を行う無線通信装置であって、相手方無線通信装置から通知される前記中継器に起因するキャリア周波数偏差情報を元に前記中継器に起因するキャリア周波数偏差を除去するキャリア周波数偏差除去手段を備えるものである。
【発明の効果】
【００２２】
本発明中、第１発明によれば、キャリア周波数偏差算出手段により、中継器に起因するキャリア周波数偏差を算出することができる。そこで、例えば、第１発明に、キャリア周波数偏差算出手段が算出したキャリア周波数偏差の−２倍の周波数偏差を含めて送信する手段を持たせる場合には、相手方無線通信装置は、中継器に起因するキャリア周波数偏差が除去された無線信号を受信することができる。
【００２３】
また、例えば、第１発明に、キャリア周波数偏差算出手段が算出したキャリア周波数偏差情報を含めて送信する手段を持たせる場合には、相手方無線通信装置は、このキャリア周波数偏差情報を元に、受信信号から中継器に起因するキャリア周波数偏差を除去することができる。
【００２４】
したがって、第１発明によれば、相手方無線通信装置が自身の送信信号の折り返しをモニタのために受信できない場合であっても、中継器に起因するキャリア周波数偏差による通信品質の低下を回避し、良好な無線通信を行うことができる。
【００２５】
本発明中、第２発明によれば、キャリア周波数偏差除去手段により、相手方無線通信装置から通知される中継器に起因するキャリア周波数偏差情報を元にキャリア周波数偏差を除去することができる。したがって、通信品質の低下を回避し、良好な無線通信を行うことができる。
【発明を実施するための最良の形態】
【００２６】
以下、図１〜図７を参照して、第１の発明の第１実施形態〜第６実施形態および第２発明の一実施形態について説明する。
【００２７】
（第１発明の第１実施形態）
図１は第１発明の第１実施形態の一部分の構成図である。第１発明の第１実施形態は、図８に示す従来の無線通信装置を改良したものであり、図９に示す無線通信システムにおいて、端末として使用されるものである。
【００２８】
第１の発明の第１実施形態においては、図８に示す発振器５を設けず、基準発振器９の出力を分周器６に供給するようにしている。即ち、ミキサ１に供給する再生キャリアを生成する再生キャリア生成回路１０およびベースバンドクロックを出力する分周器６は基準発振器９を共用する構成としている。
【００２９】
また、キャリア周波数偏差算出手段を構成する加算器４０を設け、この加算器４０において、自動周波数制御回路７により得られるキャリア周波数同期情報（例えば、自動周波数制御回路７の引き込み結果）とタイミングクロック再生回路４により得られるタイミングクロック周波数同期情報（例えば、タイミングクロック再生回路４の引き込み結果）の差を算出し、中継器に起因するキャリア周波数偏差Δを得るようにしている。
【００３０】
その他については、図８に示す従来の無線通信装置と同様に構成しており、また、図１に示す回路部分以外の部分については、従来周知のように構成している。なお、第１発明の第１実施形態を端末として使用する場合、基地局においても、再生キャリア生成回路およびベースバンドクロック生成回路は同一の基準発振器を共用する構成とする。
【００３１】
ここで、中継器の局部発振器の周波数偏差Δはキャリアのみに作用し、クロックタイミングには影響しないことから、第１発明の第１実施形態においては、中継器から受信する受信信号に、中継器に起因したキャリア周波数偏差がない場合には、自動周波数制御回路７によりキャリア周波数同期が得られると、同時にタイミングクロック周波数同期も得られることになる。
【００３２】
即ち、自動周波数制御回路７の引き込み結果とタイミングクロック再生回路４の引き込み結果は、基準発振器９の初期偏差に対する相対的な差異として同じ比率を得るはずである。但し、タイミングクロック周波数の同期が得られても、位相同期のためにはタイミングクロック周波数同期手段であるタイミングクロック再生回路４は必須である。
【００３３】
これに対して、第１発明の第１実施形態が中継器から受信する受信信号に、中継器に起因した周波数偏差Δが含まれている場合には、自動周波数制御回路７において、中継器に起因した周波数偏差Δだけキャリア周波数がずれて検出されることになる。この結果、加算器４０において、自動周波数制御回路７の引き込み結果とタイミングクロック再生回路４の引き込み結果の差を算出することにより、中継器に起因するキャリア周波数偏差Δを得ることが可能となる。
【００３４】
したがって、第１発明の第１実施形態に、例えば、加算器４０が算出した中継器に起因するキャリア周波数偏差Δの符号を反転したキャリア周波数偏差「−Δ」を送信信号に含める手段を持たせる場合には、基地局は、中継器に起因するキャリア周波数偏差Δが除去された無線信号を受信することができる。また、例えば、第１発明の第１実施形態に、加算器４０が算出したキャリア周波数偏差情報を含めて送信する手段を持たせる場合には、基地局は、このキャリア周波数偏差情報を元に、受信信号から中継器に起因するキャリア周波数偏差Δを除去することができる。
【００３５】
したがって、第１発明の第１実施形態によれば、基地局が自身の送信信号の折り返しをモニタのために受信できない場合であっても、中継器に起因するキャリア周波数偏差Δによる通信品質の低下を回避し、良好な無線通信を行うことができる。
【００３６】
（第１発明の第２実施形態）
図２は第１発明の第２実施形態の一部分の構成図である。第１発明の第２実施形態は、加算器４０において、自動周波数制御回路７により得られるキャリア周波数同期情報とフレーム同期部４２により得られるフレーム同期情報の差を算出することにより、中継器に起因する周波数偏差Δを得るようにし、その他については、図１に示す第１発明の第１実施形態と同様に構成したものである。
【００３７】
ここで、自動周波数制御回路７とタイミングクロック再生回路４が連続動作で正常に追従していれば、フレームタイミングが変動することはありえないが、無線通信システムがＴＤＭＡで、タイミングクロック再生回路４がＴＤＭＡフレームのプリアンブルからタイミングクロックを再生している場合には、ＴＤＭＡバーストを管理するフレームタイミングの補正が発生することなどを想定し、第１発明の第２実施形態においては、フレーム同期部４２を備えるようにしている。この場合には、時間方向の同期結果は、フレーム同期部４２でタイミングクロック再生回路４に代替することが可能である。
【００３８】
第１発明の第２実施形態においても、例えば、加算器４０が算出した中継器に起因するキャリア周波数偏差Δの符号を反転したキャリア周波数偏差「−Δ」を送信信号に含める手段を持たせる場合には、基地局は、中継器に起因するキャリア周波数偏差Δが除去された無線信号を受信することができる。また、例えば、第１発明の第２実施形態に、加算器４０が算出したキャリア周波数偏差情報を含めて送信する手段を持たせる場合には、基地局は、このキャリア周波数偏差情報を元に、受信信号から中継器に起因するキャリア周波数偏差Δを除去することができる。
【００３９】
したがって、第１発明の第２実施形態によれば、基地局が自身の送信信号の折り返しをモニタのために受信できない場合であっても、中継器に起因するキャリア周波数偏差Δによる通信品質の低下を回避し、良好な無線通信を行うことができる。
【００４０】
（第１発明の第３実施形態）
図３は第１発明の第３実施形態の一部分の構成図である。第１発明の第３実施形態は直交検波が必要な位相偏移変調波を対象としており、図３中、４５は受信信号を周波数変換してなるＩＦ信号を入力して直交検波を行う直交検波器であり、４６はＩＦ信号を２分岐するハイブリッド、４７は後述する再生キャリア生成回路が出力する再生キャリアをπ／２だけ移相するπ／２移相回路である。
【００４１】
４８はハイブリッド４６が出力するＩＦ信号とπ／２移相回路４７が出力する再生キャリアとを掛け合わせるミキサ、４９はミキサ４８の出力信号から不要成分を除去してＩ信号を出力するローパスフィルタである。５０はハイブリッド４６が出力するＩＦ信号と後述する再生キャリア生成回路が出力する再生キャリアとを掛け合わせるミキサ、５１はミキサ５０の出力信号から不要成分を除去してＱ信号を出力するローパスフィルタである。
【００４２】
５２は直交検波器４５が出力するＩ／Ｑ信号をアナログ信号からデジタル信号に変換するＡ／Ｄ変換回路、５３はＡ／Ｄ変換回路５２が出力するＩ／Ｑ信号を入力して逆拡散処理を行う逆拡散器、５４はパスタイミングサーチ部（ＳＲＣ）である。
【００４３】
５５はキャリア周波数同期手段を構成する自動周波数制御回路（ＡＦＣ）、５６は自動周波数制御回路５５が出力する再生キャリア周波数制御信号をデジタル信号からアナログ信号に変換するＤ／Ａ変換器、５７はＤ／Ａ変換器５６が出力する再生キャリア周波数制御信号により発振周波数が制御される温度補償付き水晶発振器（ＶＣ＿ＴＣＸＯ）からなる基準発振器である。
【００４４】
５８は直交検波器４５に与える再生キャリアを生成する再生キャリア生成回路であり、５９はＰＬＬ（位相同期ループ）、６０は電圧制御発振器（ＶＣＯ）である。ＰＬＬ５９は、基準発振器５７が出力する発振信号を基準信号、電圧制御発振器６０が出力する発振信号を比較信号として動作し、電圧制御発振器６０の発振信号を分周したものを再生キャリアとして直交検波器４５に供給するように構成されている。
【００４５】
６１は自動周波数制御回路５５のキャリア周波数偏差情報とパスタイミングサーチ回路５４によるパスタイミングサーチ結果（チップタイミング同期情報）の差を算出することにより、中継器に起因するキャリア周波数偏差Δを出力する加算器であり、キャリア周波数偏差算出手段を構成するものである。
【００４６】
６２はデジタル信号からなる変調入力を受けて変調を行い、Ｉ／Ｑ信号を出力する変調器、６３は変調器６２が出力する変調信号をデジタル信号からアナログ信号に変換するＤ／Ａ変換器、６４はＤ／Ａ変換器６３が出力するＩ／Ｑ信号を直交変調する直交変調器である。
【００４７】
直交変調器６４において、６５は後述するキャリア生成回路が出力するキャリアをπ／２だけ移相するπ／２移相器、６６はＤ／Ａ変換器６３が出力するＩ信号から不要成分を除去するローパスフィルタ、６７はローパスフィルタ６６が出力するＩ信号と後述するキャリア生成回路が出力するキャリアとを掛け合わせるミキサである。
【００４８】
６８はＤ／Ａ変換器６３が出力するＱ信号から不要成分を除去するローパスフィルタ、６９はローパスフィルタ６８が出力するＱ信号とπ／２移相器６５が出力するキャリアとを掛け合わせるミキサ、７０はミキサ６７、６９の出力を合波するハイブリッドである。
【００４９】
７１は直交変調器６４に与えるキャリアを出力するキャリア生成回路であり、７２はＰＬＬ（位相同期ループ）、７３は電圧制御発振器（ＶＣＯ）である。ＰＬＬ７２は、基準発振器５７が出力する発振信号を基準信号、電圧制御発振器７３が出力する発振信号を比較信号として動作し、電圧制御発振器７３の発振信号を分周したものをキャリアとして直交変調器６４に供給するように構成されている。
【００５０】
このように、第１発明の第３実施形態では、直接拡散方式によるスペクトラム拡散通信におけるパスタイミングサーチ部５４の機能が時間方向のタイミング監視を担うが、これは、Ｗ／ＣＤＭＡシステムなどのように、タイミングクロック再生回路（ＢＴＲ）が不要なシステムでの構成例である。なお、図３に示す回路部分以外の部分は、従来周知のように構成されている。
【００５１】
第１発明の第３実施形態においても、例えば、加算器６１が算出した中継器に起因するキャリア周波数偏差Δの符号を反転した周波数偏差「−Δ」を送信信号に含める手段を持たせる場合には、基地局は、中継器に起因するキャリア周波数偏差Δが除去された無線信号を受信することができる。また、例えば、第１発明の第３実施形態に、加算器６１が算出したキャリア周波数偏差情報を含めて送信する手段を持たせる場合には、基地局は、このキャリア周波数偏差情報を元に、受信信号から中継器に起因するキャリア周波数偏差Δを除去することができる。
【００５２】
したがって、第１発明の第３実施形態によれば、基地局が自身の送信信号の折り返しをモニタのために受信できない場合であっても、中継器に起因するキャリア周波数偏差Δによる通信品質の低下を回避し、良好な無線通信を行うことができる。
【００５３】
（第１発明の第４実施形態）
図４は第１発明の第４実施形態の一部分の構成図である。第１発明の第４実施形態は、ＤＬＬ（遅延同期ループ）７５とキャリア周波数モニタ手段７６を設け、加算器６１において、キャリア周波数モニタ手段７６により得られるキャリア周波数偏差情報とＤＬＬ７５により得られるタイミングクロック周波数同期情報の差を算出して中継器に起因するキャリア周波数偏差Δを得るようにし、その他については、図３に示す第１発明の第３実施形態と同様に構成したものである。
【００５４】
この第１発明の第４実施形態は、直接拡散方式の無線通信システムを対象としており、タイミングクロック周波数同期およびキャリア周波数同期にＤＬＬ７５を使用するとしているが、このようにＤＬＬ７５を用いる場合には、タイミングクロック周波数同期およびキャリア周波数同期は同時に確立する。
【００５５】
そこで、逆拡散器５３の後段にキャリア周波数モニタ手段７６を設け、キャリア周波数情報を得るようにし、加算器６１において、キャリア周波数モニタ手段７６により得られるキャリア周波数情報とＤＬＬ７５により得られるタイミングクロック周波数同期情報の差を算出して中継器に起因するキャリア周波数偏差Δを得るようにしている。なお、キャリア周波数モニタ手段７６としては、従来の自動周波数制御回路の周波数弁別機能を使用することができる。
【００５６】
第１発明の第４実施形態においても、例えば、加算器６１が算出した中継器に起因するキャリア周波数偏差Δの符号を反転したキャリア周波数偏差「−Δ」を送信信号に含める手段を持たせる場合には、基地局は、中継器に起因するキャリア周波数偏差Δが除去された無線信号を受信することができる。また、例えば、第１発明の第４実施形態に、加算器６１が算出したキャリア周波数偏差情報を含めて送信する手段を持たせる場合には、基地局は、このキャリア周波数偏差情報を元に、受信信号から中継器に起因するキャリア周波数偏差Δを除去することができる。
【００５７】
したがって、第１発明の第４実施形態によれば、基地局が自身の送信信号の折り返しをモニタのために受信できない場合であっても、中継器に起因するキャリア周波数偏差Δによる通信品質の低下を回避し、良好な無線通信を行うことができる。
【００５８】
（第１発明の第５実施形態）
図５は第１発明の第５実施形態の一部分の構成図である。第１発明の第５実施形態は、加算器４０が出力するキャリア周波数偏差Δに「−２」を掛け合わせる乗算器８０を設けると共に、変調器１３とＤ／Ａ変換器１４との間に、乗算器８０が出力するキャリア周波数偏差「−２Δ」をＩ／Ｑ信号に位相回転として与えるための位相回転器８１を設け、その他については、図１に示す第１発明の第１実施形態と同様に構成したものである。
【００５９】
ここで、第１発明の第５実施形態を図９に示す無線通信システムに使用した場合において、基地局２５から中継器２７への送信信号の周波数をｆ＿ＢＴＳ、中継器２７から第１発明の第５実施形態への送信信号の周波数偏差を含まない場合の周波数をｆ＿ＢＴＳ´、第１発明の第５実施形態から中継器２７への送信信号の周波数偏差を含まない場合の周波数をｆ＿ＭＳ、中継器２７から基地局２５への送信信号の周波数偏差を含まない場合の周波数をｆ＿ＭＳ´とする。
【００６０】
この場合に、中継器２７の局部発振器３４に「＋Δ」の周波数偏差が存在すると、中継器２７から第１発明の第５実施形態への送信信号の周波数は「ｆ＿ＢＴＳ´＋Δ」となり、第１発明の第５実施形態の自動周波数制御回路７は、キャリア生成回路１６が出力するキャリアの周波数をこの偏差「＋Δ」を含んだ周波数に引き込むように動作する。
【００６１】
しかし、第１発明の第５実施形態によれば、位相回転器８１において、乗算器８０が出力するキャリア周波数偏差「−２Δ」がＩ／Ｑ信号に位相回転として与えられるので、第１発明の第５実施形態の送信信号の周波数は「ｆ＿ＭＳ−Δ」となり、中継器２７から基地局２５への送信信号の周波数はｆ＿ＭＳ´となる。
【００６２】
したがって、第１発明の第５実施形態によれば、基地局が自身の送信信号の折り返しをモニタのために受信できない場合であっても、中継器に起因するキャリア周波数偏差Δによる通信品質の低下を回避し、良好な無線通信を行うことができる。
【００６３】
なお、第１発明の第５実施形態においては、位相回転器８１を設けているが、この代わりに、ＰＬＬ１７が出力するキャリアの周波数が周波数偏差「−Δ」を含むように、電圧制御発振器１８に与える制御電圧を調整する手段を設けるように構成しても良い。
【００６４】
（第１発明の第６実施形態）
図６は第１発明の第６実施形態の一部分の構成図である。第１発明の第６実施形態は、変調器１３の前段に、加算器４０が出力するキャリア周波数偏差情報を変調入力に含めるためのマルチプレクサ８３を設け、その他については、図１に示す第１発明の第１実施形態と同様に構成したものである。
【００６５】
ここで、中継器に起因するキャリア周波数偏差は、全ての端末に対して等しく影響を与えるため、各端末が独立して処理しないほうが良い結果を得られる可能性がある。このことから、各端末に中継器に起因するキャリア周波数情報を基地局に通知するための手段を設けるようにすることが第１発明の第６実施形態の趣旨である。
【００６６】
第１発明の第６実施形態によれば、中継器に起因するキャリア周波数偏差情報が基地局に通知されるので、基地局は、通知されたキャリア周波数偏差情報に基づいて中継器に起因するキャリア周波数偏差を除去する手段を設けることにより、受信信号からキャリア周波数偏差を除去することができる。したがって、基地局が自身の送信信号の折り返しをモニタのために受信できない場合であっても、中継器に起因するキャリア周波数偏差Δによる通信品質の低下を回避し、良好な無線通信を行うことができる。
【００６７】
（第２発明の一実施形態）
図７は第２発明の一実施形態の一部分の構成図である。第２発明の一実施形態は、図９に示す無線通信システムにおいて、基地局２５として使用される無線通信装置であり、この場合、端末２６としては第１発明の第６実施形態が使用される。
【００６８】
図７中、８５は受信信号を周波数変換してなるＩＦ信号と再生したキャリアを混合してＩＦ信号からキャリア成分を除去してベースバンド信号を出力するミキサ、８６はミキサ８５が出力するベースバンド信号をベースバンドクロックに同期してアナログ信号からデジタル信号に変換するＡ／Ｄ変換器、８７はＡ／Ｄ変換器８６が出力するベースバンド信号を位相回転させる位相回転器である。
【００６９】
８８＿１、８８＿ｎは位相回転器８７が出力するベースバンド信号を復調する復調器、８９＿１、８９＿ｎはタイミングクロック再生回路、９０＿１、９０＿ｎは復調器８８＿１、８８＿ｎが出力する復調出力と、端末から通知されるキャリア周波数偏差情報を分配するデマルチプレクサである。なお、復調器８８＿２〜８８＿ｎ−１、クロック再生回路８９＿２〜８９＿ｎ−１およびデマルチプレクサ９０＿２〜９０＿ｎ−１は、図示を省略している。
【００７０】
９１はデマルチプレクサ９０＿１〜９０＿ｎが出力する各端末からの中継器に起因するキャリア周波数偏差情報を平均化する平均化回路、９２は平均化回路９１が出力する平均化された中継器に起因するキャリア周波数偏差に「−２」を掛け合わせる乗算器であり、位相回転期８７は、乗算器９２が出力するキャリア周波数偏差が除去されるようにＡ／Ｄ変換器８６が出力するベースバンド信号について位相回転処理を行う。
【００７１】
９３はベースバンドクロックおよび再生キャリアを生成する場合の基準信号を出力する温度補償付き水晶発振器からなる基準発振器、９４は基準発振器９９が出力する発振信号を分周してベースバンドクロックを出力する分周器である。なお、分周器９４の代わりに、ＰＬＬを使用する構成とすることもできる。
【００７２】
９５はミキサ８５に与える再生キャリアを生成する再生キャリア生成回路であり、９６はＰＬＬ（位相同期ループ）、９７は電圧制御発振器（ＶＣＯ）である。ＰＬＬ９６は、基準発振器９３が出力する発振信号を基準信号、電圧制御発振器９７が出力する発振信号を比較信号として動作し、電圧制御発振器９７の発振信号を分周したものを再生キャリアとしてミキサ８５に供給するように構成されている。
【００７３】
９８はデジタル信号からなる変調入力を受けて変調を行う変調器、９９は変調器９８が出力する変調信号をデジタル信号からアナログ信号に変換するＤ／Ａ変換器、１００はＤ／Ａ変換器９９が出力するアナログ信号からなる変調信号にキャリアを掛け合わせて送信側のＩＦ信号を出力するミキサである。
【００７４】
１０１はミキサ１００に与えるキャリアを出力するキャリア生成回路であり、１０２はＰＬＬ（位相同期ループ）、１０３は電圧制御発振器（ＶＣＯ）である。ＰＬＬ１０２は、基準発振器９３が出力する発振信号を基準信号、電圧制御発振器１０３が出力する発振信号を比較信号として動作し、電圧制御発振器１０３の発振信号を分周したものをキャリアとしてミキサ１００に供給するように構成されている。
【００７５】
第２発明の一実施形態によれば、位相回転器８７と復調器８８＿１〜８８＿ｎとデマルチプレクサ９０＿１〜９０＿ｎと平均化回路９１と乗算器９２で構成されるキャリア周波数偏差除去手段により、端末（第１発明の第６実施形態）から通知される中継器に起因するキャリア周波数偏差情報を元にキャリア周波数偏差を除去することができる。したがって、通信品質の低下を回避し、良好な無線通信を行うことができる。
【００７６】
なお、端末（第１発明の第６実施形態）からの中継器を介した信号が中継器に起因するキャリア周波数偏差のために、第２発明の一実施形態での受信が不可能であるような場合には、第２発明の一実施形態においてキャリア周波数偏差情報を仮定して受信可能とし、その後、端末からのキャリア周波数偏差情報を使用することで対処することができる。
【００７７】
また、中継器が再生受信を行うものである場合には、第２発明の一実施形態が備えるキャリア周波数偏差除去機能を中継器に備えさせることも可能である。この場合は、キャリア周波数偏差量を２倍したものを位相回転量とするのではなく、徐々に変動させていくことで、各端末で得られるキャリア周波数偏差情報が０に近づくように制御する方法が考えられる。
【００７８】
ここで、本発明の無線通信装置を整理すると、本発明の無線通信装置には、以下の無線通信装置が含まれる。
【００７９】
（付記１）周波数変換を伴う中継器を介して無線通信を行う無線通信装置であって、前記中継器からの無線信号に含まれる前記中継器に起因するキャリア周波数偏差を算出するキャリア周波数偏差算出手段を備えることを特徴とする無線通信装置。
【００８０】
（付記２）前記中継器と、自身の送信信号の折り返しをモニタのために受信できない基地局と、無線端末を含む無線システムにおいて、前記無線端末として使用するものであることを特徴とする付記１記載の無線通信装置。
【００８１】
（付記３）基準周波数発生部と、該基準周波数発生部を共用するキャリア周波数発生部およびタイミング発生部を備えることを特徴とする付記１又は２記載の無線通信装置。
【００８２】
（付記４）キャリア周波数同期手段と、タイミングクロック周波数同期手段を有し、前記キャリア周波数偏差算出手段は、前記キャリア周波数同期手段により得られるキャリア周波数同期情報と前記タイミングクロック周波数同期手段により得られるタイミングクロック周波数同期情報に基づいて、前記中継器に起因するキャリア周波数偏差を算出することを特徴とする付記１、２又は３記載の無線通信装置。
【００８３】
（付記５）キャリア周波数同期手段と、フレームタイミング同期手段を有し、前記キャリア周波数偏差算出手段は、前記キャリア周波数同期手段により得られるキャリア周波数同期情報と前記フレームタイミング同期手段により得られるフレームタイミング同期情報に基づいて、前記中継器に起因するキャリア周波数偏差を算出することを特徴とする付記１、２又は３記載の無線通信装置。
【００８４】
（付記６）キャリア周波数同期手段と、チップタイミング同期手段を有し、前記キャリア周波数偏差算出手段は、前記キャリア周波数同期手段により得られるキャリア周波数同期情報と前記チップタイミング同期手段により得られるチップタイミング同期情報に基づいて、前記中継器に起因するキャリア周波数偏差を算出することを特徴とする付記１、２又は３記載の無線通信装置。
【００８５】
（付記７）チップタイミング同期とキャリア周波数同期を担う位相同期ループと、再生結果のキャリア周波数同期モニタ手段を有し、前記キャリア周波数偏差算出手段は、前記位相同期ループにより得られるチップタイミング同期情報とキャリア周波数同期モニタ手段により得られるキャリア周波数情報に基づいて、前記中継器に起因するキャリア周波数偏差を算出することを特徴とする付記１、２又は３記載の無線通信装置。
【００８６】
（付記８）送信信号に前記キャリア周波数偏差の−２倍のキャリア周波数偏差を与えて送信する送信部を有することを特徴とする付記１〜７のいずれか一の付記に記載の無線通信装置。
【００８７】
（付記９）送信データに前記キャリア周波数偏差の情報を付与して送信する送信部を有することを特徴とする付記１〜７のいずれか一の付記に記載の無線通信装置。
【００８８】
（付記１０）周波数変換を行う中継器を介して無線通信を行う無線通信装置であって、相手方無線通信装置から通知される前記中継器に起因するキャリア周波数偏差情報を元に前記中継器に起因するキャリア周波数偏差を除去するキャリア周波数偏差除去手段を備えることを特徴とする無線通信装置。
【００８９】
（付記１１）前記キャリア周波数偏差除去手段は、複数の前記相手方無線通信装置から通知される前記キャリア周波数偏差情報を平均化して前記キャリア周波数偏差を除去することを特徴とする付記１０記載の無線通信装置。
【００９０】
（付記１２）前記中継器と、自身の送信信号の折り返しをモニタのために受信できない基地局と、無線端末を含む無線システムにおいて、前記基地局として使用するものであることを特徴とする付記１０又は１１記載の無線通信装置。
【図面の簡単な説明】
【００９１】
【図１】第１発明の第１実施形態の一部分の構成図である。
【図２】第１発明の第２実施形態の一部分の構成図である。
【図３】第１発明の第３実施形態の一部分の構成図である。
【図４】第１発明の第４実施形態の一部分の構成図である。
【図５】第１発明の第５実施形態の一部分の構成図である。
【図６】第１発明の第６実施形態の一部分の構成図である。
【図７】第２発明の一実施形態の一部分の構成図である。
【図８】従来の無線通信装置の一例の一部分の構成図である。
【図９】図８に示す従来の無線通信装置が有する問題点を説明するための図である。
【符号の説明】
【００９２】
１…ミキサ、２…Ａ／Ｄ変換器、３…復調器、４…タイミングクロック再生回路、５…発振器、６…分周器、７…自動周波数制御回路、８…Ｄ／Ａ変換器、９…基準発振器、１０…再生キャリア生成回路、１１…ＰＬＬ、１２…電圧制御発振器、１３…変調器、１４…Ｄ／Ａ変換器、１５…ミキサ、１６…キャリア生成回路、１７…ＰＬＬ、１８…電圧制御発振器、２５…基地局、２６…端末、２７…中継器、２８、２９…アンテナ、３０、３１…送受分波器、３２、３３…ミキサ、３４…局部発振器、４０…加算器、４２…フレーム同期部、４５…直交検波器、４６…ハイブリッド、４７…π／２移相回路、４８…ミキサ、４９…ローパスフィルタ、５０…ミキサ、５１…ローパスフィルタ、５２…Ａ／Ｄ変換器、５３…逆拡散器、５４…パスタイミングサーチ部、５５…自動周波数制御回路、５６…Ｄ／Ａ変換器、５７…基準発振器、５８…再生キャリア生成回路、５９…ＰＬＬ、６０…電圧制御発振器、６１…加算器、６２…変調器、６３…Ｄ／Ａ変換器、６４…直交変調器、６５…π／２移相器、６６…ローパスフィルタ、６７…ミキサ、６８…ローパスフィルタ、６９…ミキサ、７０…ハイブリッド、７５…ＤＬＬ、７６…キャリア周波数モニタ手段、８０…乗算器、８１…位相回転器、８３…マルチプレクサ、８５…ミキサ、８６…Ａ／Ｄ変換器、８７…位相回転器、８８＿１、８８＿ｎ…復調器、８９＿１、８９＿ｎ…タイミングクロック再生回路、９０＿１〜９０＿ｎ…デマルチプレクサ、９１…平均化回路、９２…乗算器、９３…基準発振器、９４…分周器、９５…再生キャリア生成回路、９６…ＰＬＬ、９７…電圧制御発振器、９８…変調器、９９…Ｄ／Ａ変換器、１００…ミキサ、１０１…キャリア生成回路、１０２…ＰＬＬ、１０３…電圧制御発振器
【図１】
2008035321.tif 000003
【図２】
2008035321.tif 000004
【図３】
2008035321.tif 000005
【図４】
2008035321.tif 000006
【図５】
2008035321.tif 000007
【図６】
2008035321.tif 000008
【図７】
2008035321.tif 000009
【図８】
2008035321.tif 000010
【図９】
2008035321.tif 000011